(57)【特許請求の範囲】
【請求項１】
発券するチケットの、一方の面に前記チケットを特定するコードが設けられたチケット用紙を搬送するチケット用紙搬送手段と、
前記チケット用紙に設けられた前記コードを検出する用紙センサ手段と、
この用紙センサ手段により検出された前記コードより得られた情報を、前記チケット用紙搬送手段による前記チケット用紙の搬送に同期し、前記用紙の他方の面に印字する印字手段と、を有するチケットプリンタであって、
前記印字手段は印字ヘッドを有し、前記用紙センサ手段は前記印字ヘッドより用紙搬送方向下流側に設けられているとともに、前記チケット用紙の下端と前記チケット用紙に設けられた前記コードとの用紙搬送方向の距離は前記用紙センサ手段と前記印字ヘッドの用紙搬送方向の距離よりも長いチケットプリンタ。
【請求項２】
前記チケット用紙への印字は、前記チケット用紙に設けられた前記コードの検出に引き続いておこなわれる請求項１記載のチケットプリンタ。
【請求項３】
前記チケット用紙に設けられた前記コードを検出する際の前記チケット用紙の搬送方向と、前記チケット用紙への印字を行なう際の前記チケット用紙の搬送方向は同一である請求項１記載のチケットプリンタ。
【発明の詳細な説明】
【技術分野】
【０００１】
本発明の実施形態は、チケット発券システムおよびチケットプリンタに関する。
【背景技術】
【０００２】
コンサートのチケット、映画鑑賞用チケット等各種チケットを発行する店舗は数多く存在しており、チケット購入希望者はこれらチケット発行店舗へ行きチケットの購入を行なう。
【０００３】
これらチケットの発行は各店舗に設置されている情報管理端末とこれにつながっているホストコンピュータとのやり取りにてチケットの発券情報を得、上位ホストコンピュータより得た発券許可情報を元に前記情報管理端末に接続されているプリンタにて発券を行なう。
【０００４】
これらプリンタは、発券の際、その固有のチケット番号等を発行店舗名などと共にホストコンピュータに対し送付する。ホストコンピュータではこれら固有チケット番号、発行店舗情報、チケット発券情報を関連付けて保管している。この情報を元に、どのチケットはいつどこで発券されたものか、そのチケット用紙の固有の情報は何番なのか等が追跡可能となっている。
【０００５】
ここでチケットの券面に記載されているコード情報の印刷が問題ないかを判断するために一度出力したチケットを再度スキャンすることがおこなわれている。
【０００６】
またチケットに予め記載されている固有チケット番号の検知とチケットへの印刷は同時に終了することも知られている。同時に終了するので固有チケット番号やこのチケット番号を使用した情報は印刷面には反映することが出来ない。
【先行技術文献】
【特許文献】
【０００７】
【特許文献１】特開２００６−１６８０８６号公報
【特許文献２】特許第４７２５１４８号明細書
【発明の概要】
【発明が解決しようとする課題】
【０００８】
チケットの発行に際しては、ホストコンピュータにおいて、固有のチケット番号、発行店舗情報、チケット発券情報を関連付けて保管し、後に必要に応じて各種情報を追跡可能となっている。しかしながらチケット番号、発行店舗情報、チケット発券情報とがうまく関連付けが出来ていない状態でチケットが発行されてしまった場合、そのチケットは使用できないものであるにもかかわらずお客さんの手元に渡ってしまうこととなり問題となる。またうまく関連付けられていないチケットが存在することとなり、後に各種情報を追跡することが出来ない。
【０００９】
また正規につなぎ合わせが出来たかを全数別の機器等で確認していたのでは別の機器が必要となると同時に繁忙時には次のチケット発行希望者を待たせることとなってしまう。
【００１０】
本発明はチケット番号、発行店舗、チケット発券情報とが正しく関連付けられた正規チケットが印刷面にて判断が出来ると共に、別の機器を用いることなく関連付けが出来たかをも確認できるチケット発券システムおよびチケットプリンタを提供する。
【課題を解決するための手段】
【００１１】
一形態のチケットプリンタでは、発券するチケットの、一方の面に前記チケットを特定するコードが設けられたチケット用紙を搬送するチケット用紙搬送手段と、
前記チケット用紙に設けられた前記コードを検出する用紙センサ手段と、
この用紙センサ手段により検出された前記コードより得られた情報を、前記チケット用紙搬送手段による前記チケット用紙の搬送に同期し、前記用紙の他方の面に印字する印字手段と、を有するチケットプリンタであって、
前記印字手段は印字ヘッドを有し、前記用紙センサ手段は前記印字ヘッドより用紙搬送方向下流側に設けられているとともに、前記チケット用紙の下端と前記チケット用紙に設けられた前記コードとの用紙搬送方向の距離は前記用紙センサ手段と前記印字ヘッドの用紙搬送方向の距離よりも長いチケットプリンタとした。
【図面の簡単な説明】
【００１２】
【図１】本発明の第１の実施形態によるチケット発券システムのシステム構成図。
【図２】本発明の第１の実施形態によるチケットプリンタの構成を示す構造図。
【図３】本発明の第１の実施形態によるチケットプリンタの上カバーを開放した際の構成を示す構造図。
【図４】本発明の第１の実施形態によるチケットプリンタの搬送部を示す平面図。
【図５】本発明の第１の実施形態によるチケットプリンタに用いるチケット用紙を示す平面図。
【図６】本発明の第１の実施形態によるチケットプリンタの制御ブロック図。
【図７】本発明の第１の実施形態による外部サーバ端末の構成例を示すブロック図。
【図８】本発明の第１の実施形態によるＰＯＳ端末の構成例を示すブロック図。
【図９】本発明の第１の実施形態によるチケット発券システムの発券の流れを示す流れ図。
【図１０】本発明の第１の実施形態によるチケットプリンタのチケット固有データ取得開始時の位置関係側面図。
【図１１】本発明の第１の実施形態によるチケットプリンタのチケット固有データ取得終了時の位置関係側面図。
【図１２】本発明の第２の実施形態によるチケットプリンタの構成を示す構造図。
【図１３】本発明の第２の実施形態によるチケットプリンタのチケット固有データ取得終了時の位置関係側面図。
【発明を実施するための形態】
【００１３】
以下に本発明の一実施形態にかかるチケットプリンタおよびそのチケットプリンタを備えたチケット発券システムを図面を参照して詳細に説明する。
【００１４】
（第１の実施形態）
一実施形態のシステム構成例を図１に示す。
【００１５】
このチケット販売システム９０は、チケット内容を把握し管理している外部サーバ１００とこの外部サーバ１００にネットワークで接続されている店舗Ａ１、店舗Ｂ２および店舗Ｃ３とからなる。
【００１６】
店舗Ａ１はチケットの発行を行なうＰＯＳ端末４と、このＰＯＳ端末４からの発券指令に基づき実際のチケットを出力するチケットプリンタ５を有す。
【００１７】
店舗Ｂ２はチケットの発行を行なうＰＯＳ端末４と、このＰＯＳ端末４からの発券指令に基づき実際のチケットを出力するチケットプリンタ５を有す。
【００１８】
店舗Ｃ３はチケットの発行を行なうＰＯＳ端末４と、このＰＯＳ端末４からの発券指令に基づき実際のチケットを出力するチケットプリンタ５を有す。
【００１９】
ここで店舗数は３にて説明をしているが、このシステムにおける店舗数は１、２店舗もしくは４店舗以上であってもなんら問題はない。
【００２０】
図２乃至図４に本実施形態にかかるチケットプリンタ５の要部構成を示す。図２はチケットプリンタ５の使用状態を、図３はプリンタ上カバー７を開放している状態を示している。なお、このプリンタでは、図２において、巻軸１３に巻回されているチケット用紙８は図中Ｃ方向に回転し、搬送の際は右側から左側に向けて搬送されるので、以下の説明においては、図２中右側を上流側、左側を下流側とする。
【００２１】
チケットプリンタ５はプリンタ下カバー９に対し、プリンタ上カバー７が支軸１０を回動中心として開閉可能に取り付けられている。チケット用紙８は裏面１２が内側になるような状態で巻軸１３に巻回されており、この巻軸１３はチケットプリンタ５に回転自在に支持されている。巻回されたチケット用紙８はその下流にあるフィードローラ１４と、このフィードローラ１４に対し用紙搬送路１５を挟んで対向配置されているアイドラローラ１６との挟持により下流側に搬送される。
【００２２】
フィードローラ１４の下流には、チケット用紙８の裏面１２に設けられているコードを認識する第１のセンサ１７および第２のセンサ１８が設けられている。
【００２３】
さらにその下流にはプラテンローラ１９が設けられ、このプラテンローラ１９に対し用紙搬送路１５を挟んでサーマル印字ヘッド２０が対向配置されている。
【００２４】
さらにその下流にはカッタ２１が配置されている。このカッタ２１は固定刃２２と可動刃２３とを有しており、カッタ２１のスリット(図示せず)に挿入されてきたチケット用紙８を固定刃２２に向け可動刃２３を図示しないモータ駆動によりスライド移動することで切断する。
【００２５】
ここでカッタ２１は固定刃２２に向け可動刃２３がスライド移動するいわゆるスライド式カッタで説明したがこれに限定されるものではなく、固定刃に対し可動刃が回転することで用紙を切断するいわゆるロータリー式カッタであってもよい。
【００２６】
さらにカッタ２１の下流側には、チケット用紙８の表面１１に対してサーマル印字ヘッド２０にて印字を実施した後、チケット用紙８をカッタ２１にて所定の長さに切断後チケットプリンタ５から排出する排出口２４が設けられている。またプリンタ下カバー９における排出口２４の下方には切断されたチケット用紙８を保持する排出テーブル２５が設けられている。
【００２７】
またチケットプリンタ５のプリンタ上カバー７には表示部２６が設けられている。この表示部２６はＬＣＤ等の液晶ディスプレイであり、チケット発行時の情報を表示したり、またチケットプリンタ５におけるチケット用紙８の紙詰まり、チケット用紙８の用紙切れ等のエラー表示を行なう機能を有している。
【００２８】
図４は図３におけるＡ方向より用紙搬送路１５を見た要部構成図である。また図５（ａ）（ｂ）に一例としてのチケット用紙８の表面１１と裏面１２の印刷例を示す。
【００２９】
図４中右側が上流側で左側が下流側であり、チケット用紙８は図中右から左に向かって図中Ｄ方向に搬送される。その際チケット用紙８は、チケットプリンタ５に設けられている一対の搬送横ガイド２７により斜行することを防ぎながら搬送される。用紙搬送路１５にはチケット用紙８の裏面１２に設けられたブラックマーク２８（図５（ｂ）参照）を検知する第１のセンサ１７と、チケット用紙８の裏面１２に設けられたカットマーク２９、スタートマーク３０、チケット固有データ３１、チェックデジット３２およびエンドマーク３３（いずれも図５（ｂ）参照）を検知する第２のセンサ１８がチケット用紙８の搬送方向に対して直交する方向で並んで設けられている。
【００３０】
図５にチケット用紙８を記載する。チケット用紙８は複数枚のチケット用紙８がロール状に巻回されつながった状態でチケットプリンタ５に装填される。図５においては１枚目であるチケット用紙８につながっている２枚目のチケット用紙をチケット用紙８−２として示している。図５（ａ）はチケット用紙８の表面１１を示したもので、サーマル印字ヘッド２０にてその券面に印字を行なう。
【００３１】
図５（ｂ）はチケット用紙８の裏面１２を示したものである。チケット用紙８の裏面１２には予めブラックマーク２８、カットマーク２９、スタートマーク３０、チケット固有データ３１、チェックデジット３２およびエンドマーク３３が設けられている。これら各マークについては後述する。なおここではチケット用紙８の裏面１２に設けられているチケット固有データ３１は前記チケット用紙８の搬送方向に沿って並ぶ白色や黒色のブロックを複数列並べたものをチケット固有データ３１としているが、これに限定するものではなく、例えばバーコードや二次元コード、英数字等であってもなんら問題なくこれらを総称してコードと呼ぶ。
【００３２】
チケット用紙８はカッタ２１にて図５（ａ）（ｂ）に二点鎖線にて示すカット位置３４にて切り離され発行される。
【００３３】
またチケット用紙８には予めミシン目３５が設けられている。このミシン目３５にてチケット用紙８は半券Ａ３６と半券Ｂ３７とに容易に切り離すことが可能となっており、例えば、チケット用紙８の実際の使用時において、半券Ａ３６を会場で担当者に渡し半券Ｂ３７を控えとしてチケット購入者に渡す使い方をする。
【００３４】
上述したチケットプリンタ５の制御部６０の一例を図６に示す。この制御部６０は、用紙搬送の制御を行なう手段、印刷の制御を行なう手段、用紙切断の制御を行なう手段、用紙排出の制御を行なう手段とからなっている。またチケットプリンタ５はＰＯＳ端末４、外部サーバ１００とも接続されている。
【００３５】
この制御部６０は、ＰＯＳ端末４や外部サーバ１００との連係および各種の制御の実行を行なう、例えば、マイクロコンピュータで構成されている。制御部６０の中央処理装置（ＭＰＵ）６１は、プログラムに従って用紙搬送制御、印字制御、用紙切断制御、用紙排出制御等の各種の制御や演算を行なう。
【００３６】
このＭＰＵ６１で実行する制御プログラムや制御または演算途上のデータや外部サーバからのデータ等を格納する主記憶手段としてＲＯＭ６２およびＲＡＭ６３が設置されている。ＲＯＭ６２は制御プログラムやテーブル等を持つ読出し専用メモリであり、ＲＡＭ６３は演算途上のデータや外部サーバ１００からのデータ等を格納する随時書込みメモリである。
【００３７】
また、この制御部６０には、外部サーバ１００からの各種の入力データの取込みや、外部サーバ１００への制御部６０の制御出力の取出しを行なう入出力ユニット（Ｉ／Ｏ）６４が設けられている。このＩ／Ｏ６４は、ＭＰＵ６１、ＲＯＭ６２およびＲＡＭ６３とをバスを通じて連係されている。
【００３８】
また、このＩ／Ｏ６４には制御出力を取り出すための手段として、第１から第６のドライバ６５、ドライバ６６，ドライバ６７，ドライバ６８，ドライバ６９およびドライバ７０が接続されている。
【００３９】
フィードローラ１４はＭＰＵ６１のチケット用紙８の搬送指令手段としてのドライバ６６を介して、図示しないモータによりフィードローラ１４を駆動させ、このフィードローラ１４に対し用紙搬送路１５を挟んで対向配置されているアイドラローラ１６との挟持によりチケット用紙８を下流側に搬送する。
【００４０】
また制御部６０のＭＰＵ６１はドライバ６７を介してチケット用紙８の裏面１２に予め設けられているブラックマーク２８を検知する指令を第１のセンサ１７に対して出す。
【００４１】
また制御部６０のＭＰＵ６１はドライバ６８を介してチケット用紙８の裏面１２に予め設けられているチケット固有データ３１、カットマーク２９、スタートマーク３０、チェックデジット３２およびエンドマーク３３を検知する指令を第２のセンサ１８に対して出す。
【００４２】
印字機構３８は、図２にて説明したサーマル印字ヘッド２０およびプラテンローラ１９を備えている。このプラテンローラ１９は、ＭＰＵ６１の印字指令手段としての制御出力に基づき、図示しないモータにより印字動作と同期して回転駆動される。サーマル印字ヘッド２０は、外部サーバ１００からの印字データに基づいて、チケット用紙８に印字を行なう。
【００４３】
また、制御部６０のＭＰＵ６１はドライバ６９を介してカッタ２１を駆動させチケット用紙８を切断する。
【００４４】
また、制御部６０のＭＰＵ６１はドライバ７０を介して表示部２６にチケットプリンタ５のチケット発行時の情報やエラー内容等を表示する。
【００４５】
図７に示す様に、外部サーバ１００は、店舗チケット情報６、チケット販売情報保管部３９と、条件保管部４０と、発行可否判断部４１と、データ送受信部４２と、チケットデータ送信部４３と、チケットデータ保管部４４と、正規チケット判断部４５と関連付けデータ保管部４６と、追跡データ条件入力部５７と、チケット固有データ保管部５８を備えている。
【００４６】
チケット用紙８は複数枚のチケット用紙８をロール上に巻回してあるが、これらチケット用紙８の裏面に予め設けられているチケット固有データ３１は全て異なるデータとなっている。またこのチケット固有データ３１は同一の店舗内に装填されている複数枚のチケット用紙８で全てが異なるデータであるのみならず他店舗である店舗Ｂ２や店舗Ｃ３に装填されているチケット用紙８の全てのチケット用紙８記載のデータとも異なっている。このチケット固有データ３１は各店舗にチケット用紙８が送られた時点で外部サーバ１００に店舗チケット情報６として保管されている。
【００４７】
チケット販売情報保管部３９は、映画会社、映画館等より入手した発券可能な映画チケットの情報（日付、時間、映画名、上映場所、座席等）を保管している。
【００４８】
条件保管部４０は、店舗Ａ１に来たチケット発行希望者もしくは店舗Ａ１にいるチケット発行代理手続者がＰＯＳ端末４を介して希望するチケットの条件を一時保管する部分であり、例えば○月○日のＡ映画館のＢという映画名といったデータが保管される。
【００４９】
発行可否判断部４１は、チケット販売情報保管部３９のデータと条件保管部４０のデータとを比較し、チケット発行希望者が入力した条件でチケットの発行が可・不可のいずれかであるかを判断する。
【００５０】
チケットデータ送信部４３は、チケット発券指令部５３からのチケット発行依頼を受領し、チケットデータ保管部５４に対してチケットデータの送信、保管の指示や、チケットデータをチケットプリンタ５に対して送付する。チケットデータ保管部４４は、チケットデータ送信部５５より送付されてきたチケットデータを保管する。
【００５１】
正規チケット判断部４５は、チケットデータ保管部４４のデータと、チケット情報６とを比較し、正規の店舗から発行されたチケットであるか、正規のチケット用紙を用いているかを判断する。
【００５２】
関連付けデータ保管部４６は、正規チケット判断部４５にて正規チケットであると判断された場合に、チケットデータとチケット情報６との関連付け後の情報を保管する。
【００５３】
追跡データ条件入力部５７は、発行されたチケットに対し何らかの理由でそのチケットの発行内容を追跡することとなった場合の検索条件を保管するとともに、関連付けデータ保管部４６よりこの条件の発行済チケットの情報を抽出する。
【００５４】
チケット固有データ保管部５８は、チケットデータ送信部５５より送られてきたチケット固有データ３１を保管する。またデータ送受信部４２は、サーバ１００に設けられた各部のデータをＰＯＳ端末４に送付したり、ＰＯＳ端末４から送られてきた各種データをサーバ１００に設けられた各部に送る際にその送受信を仲介する。
【００５５】
図８に示す様に、ＰＯＳ端末４は、データ送受信部５０と、チケット固有データ保管部５１と、チケット発券条件入力部５２と、チケット発券指令部５３と、チケットデータ保管部５４と、チケットデータ送信部５５と、関連付け成功／失敗情報保管部５６を備えている。
【００５６】
データ送受信部５０は、ＰＯＳ端末４に設けられた各部のデータをサーバ１００やチケットプリンタ５に送付したり、サーバ１００やチケットプリンタ５から送られてきた各種データをＰＯＳ端末４に設けられた各部に送る際にその送受信を仲介する。
【００５７】
チケット固有データ保管部５１は、チケットプリンタ５より受信したチケット固有データ３１を保管する。
【００５８】
チケット発券条件入力部５２は店舗Ａ１に来たチケット発行希望者もしくは店舗Ａ１にいるチケット発行代理手続者が希望するチケットの条件を入力する部分であり、例えば○月○日のＡ映画館のＢという映画名といったデータが保管される。
【００５９】
チケット発券指令部５３は、発行可否判断部４１での発行可能との情報を得て、チケットデータ送信部４３へチケット発行の依頼を行なう。
【００６０】
チケットデータ保管部５４は、チケット送信部４３からのチケットデータ送信依頼を受け、そのチケットデータを保管するとともにチケットプリンタ５へそのチケットデータを送る。
【００６１】
チケットデータ送信部５５は、チケット固有データ保管部５８にチケット固有データ３１を送るとともに、チケットデータ保管部４１にチケットデータを送る。
【００６２】
関連付け成功／失敗情報保管部５６は、関連付けデータ保管部４６より得た関連付け成功／関連付け失敗のいずれかの情報をチケットプリンタ５に対して送信する。
【００６３】
以下、チケットの購入の方法を外部サーバの構成例である図７、ＰＯＳ端末の構成例である図８、および図９のフローチャートを用いて説明する。なお今回は映画のチケットを購入する場合を例に説明する。
【００６４】
チケット購入希望者は店舗Ａ１に行き（Ｓ１）、ＰＯＳ端末４のチケット発券条件入力部５２に希望する上映時間、希望する映画名、希望する映画館等の条件を入力する（Ｓ２）。ＰＯＳ端末４は、Ｓ２にて、所定の条件を受け付けると、その条件をＰＯＳ端末４に設けられているデータ送受信部５０経由にてその条件でチケットが購入可能かを外部サーバ１００に問合せる（Ｓ３）。外部サーバ１００は店舗Ａ１のＰＯＳ端末４より送付されてきた条件を希望条件保管部４０に保管し、その後発行可否判断部４１にてチケット販売情報保管部３９と希望条件保管部４０とを比較しチケットの発行が可能かを判断しその結果をデータ送受信部４２を経由して店舗Ａ１のＰＯＳ端末４に返信する。
【００６５】
ここでチケット発行不可との返信があった場合（Ｓ３のＮ）、店舗Ａ１のＰＯＳ端末４は別の条件でチケットを購入するかをチケット購入者に問合せる（Ｓ４）。ここでチケット購入者が別条件での購入を希望しない場合（Ｓ４のＮ）、チケットの購入は中止となる（Ｓ６）。なお、Ｓ４におけるチケット購入者が別条件での購入を希望しない場合とは、例えば、ＰＯＳ端末４が操作者により入力部を介した「購入終了」が指示されたことを検出した場合である。またチケット購入者が別条件での購入を希望する場合（Ｓ４のＹ）、新たな条件を入力させ（Ｓ５）、その条件を再度外部サーバ１００に送信し、その条件でチケットが購入可能かを外部サーバ１００に問合せる（Ｓ３）。
【００６６】
外部サーバ１００は店舗Ａ１のＰＯＳ端末４より送付されてきた条件でチケットが発行可能との返信を店舗Ａ１のＰＯＳ端末４に送信した場合（Ｓ３のＹ）、店舗Ａ１のＰＯＳ端末４はチケット発券指令部５３より外部サーバ１００に対してチケット発行依頼を送信する（Ｓ７）。
【００６７】
外部サーバ１００はこの発行依頼を受けると、チケットデータ送信部４３は店舗Ａ１のＰＯＳ端末４に向けチケットデータを送信する（Ｓ８）と共にチケット販売情報保管部３９より前記チケットデータを削除する。
【００６８】
店舗Ａ１のＰＯＳ端末４は外部サーバ１００からのチケットデータを受信すると、チケットデータ保管部５４にこのチケットデータを保管する（Ｓ９）
その後店舗Ａ１のＰＯＳ端末４はチケットデータ送信部５５よりチケットプリンタ５に対してチケットデータを送信する。チケットプリンタ５は前述の制御部６０のドライバ６５、ドライバ６６等を介して印字機構３８やフィードローラ１４を駆動させチケット用紙８の表面１１にチケット情報を順次印字する（Ｓ１０）。
【００６９】
チケットプリンタ５はチケット用紙８の表面１１にチケット情報をチケット用紙８を搬送させながら印字するわけであるが、この搬送の際第１のセンサ１７はチケット用紙８の裏面に予め設けられているブラックマーク２８を、第２のセンサ１８はカットマーク２９、スタートマーク３０、チケット固有データ３１、チェックデジット３２およびエンドマーク３３を検出する。
【００７０】
図１０および図１１に第１のセンサ１７、第２のセンサ１８とチケット用紙８の表面１１、チケット用紙８の裏面１２の位置関係を示す。図１０（ａ）および図１１（ａ）はチケット用紙８の表面１１を、図１０（ｂ）および図１１（ｂ）はチケット用紙８の裏面１２をそれぞれ示している。なお、図１０（ａ）および図１１（ａ）はチケット用紙８の表面１１を図３におけるＡ方向から見たものを、図１０（ｂ）および図１１（ｂ）はチケット用紙８の裏面１２を図３におけるＢ方向から見たものである。
【００７１】
チケット用紙８はフィードローラ１４とアイドラローラ１６に挟持され下流側に搬送されまず初めに第１のセンサ１７にてチケット用紙８の裏面１２に設けられているブラックマーク２８を検知する。このブラックマーク２８を第１のセンサ１７にて検知するとそのチケット用紙８は定形のチケット用紙であると判断しその後引き続き搬送を継続する。しかしながらこの時点ではまだサーマル印字ヘッド２０は第１のセンサ１７より搬送方向下流側に位置しているためチケット用紙８の表面１１への印字は行なわれない。
【００７２】
この後搬送を継続するとやがてチケット用紙８の先端はサーマル印字ヘッド２０の位置に到達する。この状態を図１０に示す。この時点以降サーマル印字ヘッド２０にてチケット用紙８の表面１１への印字は可能となる。
【００７３】
なおチケット用紙８の裏面１２には予めカットマーク２９、スタートマーク３０、チケット固有データ３１、チェックデジット３２およびエンドマーク３３が存在している。まずカットマーク２９を第２のセンサ１８が検知すると、チケットプリンタ５の制御部６０はドライバ６９を介してカッタ２１にてチケット用紙８を切断する。引き続き搬送が継続されると第２のセンサ１８はスタートマーク３０を検知する。このスタートマーク３０を検知することでそれ以降の検知したデータはチケット固有データ３１であると認識されＲＡＭ６３に順次記憶される。なお本実施形態ではチケット固有データ３１は９個設けられているとして記載してある。
【００７４】
搬送が継続され９個のチケット固有データ３１がＲＡＭ６３に記憶された後、第２のセンサ１８はチェックデジット３２を検知する。このチェックデジット３２を検知するとチケット固有データ３１の記載が終了であると認識するとともにチェックデジット３２と比較して正しくチケット固有データ３１が認識されたかを確認する。
【００７５】
次に搬送が継続されると第２のセンサ１８はエンドマーク３３を検知する（Ｓ１１）。
【００７６】
図１１はこの状態を示している。このエンドマーク３３を検知するとチケットプリンタ５はチケット固有データ３１の検出が完了したと判断し、店舗Ａ１のＰＯＳ端末４に対して検出したチケット固有データ３１を送信する。
【００７７】
ＰＯＳ端末４はチケットプリンタ５より送付されてきたチケット固有データ３１をチケット固有データ保管部５１に保管すると共にチケットデータ保管部５４に保管されているチケットデータとを合わせてチケットデータ送信部５５より外部サーバ１００に送信する（Ｓ１２）。
【００７８】
外部サーバ１００は、店舗Ａ１のＰＯＳ端末４より送付されてきたチケット固有データ３１をまずチケットデータ保管部４４に保管する。次に店舗チケット情報６のデータとチケットデータ保管部４４に保管されたチケット固有データ３１とを正規チケット判断部４５にて比較し、チケット用紙８の裏面１２に設けられているチケット固有データ３１が正規の店舗で使用されたものか、正規の固有チケット番号であるかを判断する。正規のチケットであると判断された場合、関連付けデータ保管部４６にチケット固有データ３１とチケットデータを関連付けて保管する（Ｓ１３）。
【００７９】
この関連付けが成功した場合（Ｓ１３のＹ）、外部サーバ１００はチケット固有データ３１とチケットデータとのつなぎ合わせが成功したことを店舗Ａ１のＰＯＳ端末４に送信する（Ｓ１４）。店舗Ａ１のＰＯＳ端末４はこの成功したとの情報を得ると店舗Ａ１のＰＯＳ端末４の関連付け成功／失敗情報保管部５６はＰＯＳ端末４につながっているチケットプリンタ５に対してチケットを正常発行した旨を印字するよう指示をし、チケットプリンタ５の制御部６０はドライバ６５、ドライバ６６を介して印字機構３８、フィードローラ１４を駆動させチケット用紙８の表面１１への印字を行なう。
【００８０】
なお図１１が店舗Ａ１のＰＯＳ端末４より送付されてきたチケット固有データ３１とチケットデータとのつなぎ合わせが完了した時点でのチケット用紙８とサーマル印字ヘッド２０や第１のセンサ１７、第２のセンサ１８の位置関係であるが、このように店舗Ａ１のＰＯＳ端末４より送付されてきたチケット固有データ３１とチケットデータとのつなぎ合わせが終わった時点以降は図１１（ａ）の斜線部であるＰ領域につなぎ合わせが成功した旨の情報を印字することが可能である（Ｓ１５）。その後チケットプリンタ５による印字を終了させる（Ｓ１６）。
【００８１】
外部サーバ１００は、店舗Ａ１のＰＯＳ端末４より送付されてきたチケット固有データ３１とチケットデータとのつなぎ合わせが失敗した場合（Ｓ１３のＮ）、チケット固有データ３１とチケットデータとのつなぎ合わせが失敗したことを店舗Ａ１のＰＯＳ端末４に送付する（Ｓ１７）。店舗Ａ１のＰＯＳ端末４はこの失敗したとの情報を得ると店舗Ａ１の関連付け成功／失敗情報保管部５６はＰＯＳ端末４につながっているチケットプリンタ５に対してチケットを失敗発行した旨を印字するよう指示をし、チケットプリンタ５の制御部６０はドライバ６５、ドライバ６６を介して印字機構３８、フィードローラ１４を駆動させチケット用紙８の表面１１への印字を行なう。店舗ＡのＰＯＳ端末４より送付されてきたチケット固有データ３１とチケットデータとのつなぎ合わせが失敗した場合においても、成功した場合と同様に図１１（ａ）の斜線部であるＰ領域につなぎ合わせが失敗した旨の情報を印字することが可能である（Ｓ１８）。その後チケットプリンタ５による印字を終了させる（Ｓ１９）。
【００８２】
また、サーバ１００は追跡データ条件入力部５７を有しており、後日発券データの追跡が必要となった際、関連付けデータ保管部４６のデータを追跡データ条件入力部５７に入力された条件に基づいて抽出をすることが可能となっている。
【００８３】
以上の様にチケット用紙８の裏面１２にあらかじめ設けられているチケット固有データ３１と外部サーバ１００より送付されてきたチケットデータとの関連付けの結果をチケット用紙８の表面に印字を行なうことが出来るようにしたため、仮にチケット固有データ３１と外部サーバ１００より送付されてきたチケットデータとの関連付けが失敗したチケットが発行されてもその印字を確認することで問題が発生していることを容易に判断することが可能となる。
【００８４】
また本実施形態の説明においては、チケット用紙８の裏面１２にあらかじめ設けられているチケット固有データ３１と外部サーバ１００より送付されてきたチケットデータとの関連付けの結果をチケット用紙８の表面１１に印字を行なうことが出来るとしたが、このチケット用紙８の表面１１に印字する内容はチケット固有データ３１と外部サーバ１００より送付されてきたチケットデータとの関連付けの結果でなく、チケット用紙８の裏面１２にあらかじめ設けられているチケット固有データ３１をそのままもしくは加工してチケット用紙８の表面１１に印字してもよい。
【００８５】
なお第２のセンサ１８にて検出されたチケット固有データ３１を、チケット用紙８の搬送に同期してチケット用紙に印字しているが、同期して印字をおこなわずチケット固有データ３１を検出後これに引き続いて印字をおこなってもよい。
【００８６】
またＰ領域への印字であれば、チケット用紙８を逆方向へ搬送させる必要はない。
【００８７】
以上のように、本実施形態によれば、チケット用紙８の裏面１２に設けられているチケット固有データ３１と、チケットデータとの関連付けの結果をチケット用紙８の表面１１に印字することが可能であり、チケット固有データ３１検出後これに引き続いて印字が可能となる。これによりチケット用紙８の表面１１の印字にて問題が発生しているかを把握することが可能となる。またチケット用紙８の表面１１への印字を行なうにあたり印字領域を確保するためにチケット用紙８の搬送を、チケット固有データ３１の検知後に逆方向への搬送をさせてその後順方向への搬送をさせる必要がない。
【００８８】
（第２の実施形態）
図１２に第２の実施形態を記載する。第２の実施形態における第１の実施形態との違いは、第１の実施形態においては第１のセンサ１７および第２のセンサ１８の用紙搬送方向下流側にサーマル印字ヘッド２０が設けられているが、第２の実施形態においては第１のセンサ４７および第２のセンサ４８の用紙搬送方向上流側に印字ヘッド４９が設けられている。
【００８９】
印字機構としてサーマル印字ヘッドを用いる場合、チケット用紙８の印字面である表面１１に感熱層が必要な場合がある。感熱層を有するチケット用紙８は感熱層を設ける必要があるためチケット用紙８が高額になる場合がある。この為チケット用紙８に感熱層が不要でも印字が可能な印字機構として例えばインパクトドットヘッドを使用することも考えられる。しかしながら仮にインパクトヘッド印字機構として使用する場合、インパクトドットヘッド、インパクトドットヘッドを保持するキャリア（図示せず）、キャリアを移動させる機構であるキャリアシャフト（図示せず）等が必要となるが、これらは大きく、また重量もかなりある。この為プリンタ上カバー７に搭載する場合は、プリンタ上カバー７を開放する際に必要な開放スプリング（図示せず）が必要となるが、その際重量の重いものが支軸１０より離れている場合はそれだけ大きな開放スプリングが必要となる。この様な場合はなるべく用紙搬送方向上流側に印字ヘッドを設けるレイアウトにすることで開放スプリングは小さくすることが可能となる。
【００９０】
このレイアウトを採用した場合の、店舗Ａ１のＰＯＳ端末４より送付されてきたチケット固有データ３１とチケットデータとのつなぎ合わせが完了した時点でのチケット用紙８とサーマル印字ヘッド４９や第１のセンサ４７、第２のセンサ４８の位置関係を図１３に記載する。店舗Ａ１のＰＯＳ端末４より送付されてきたチケット固有データ３１とチケットデータとのつなぎ合わせの結果をチケット用紙８の表面１１に記載をする際、第１のセンサ４７および第２のセンサ４８の用紙搬送方向上流側に印字ヘッド４９が設けられており、第１のセンサ４７、第２のセンサ４８と印字ヘッド４９との用紙搬送方向の距離Ｘと、チケット用紙８の裏面１２に予め設けられているチケット固有データ３１やエンドマーク３３等のコードにおけるコードデータ検出の最終マークとチケット用紙８の切断時における最終端との距離Ｙは、本実施形態においてはＸ＜Ｙとなる様に設定した。
【００９１】
なおＸ＜Ｙを実現させる方法としては、チケット固有データ３１の数を減らす、チケット固有データ３１のチケット用紙８への記載サイズを小さくする、チケット用紙８の一枚の長さを長くする方法が考えられる。
【００９２】
以上のように、本実施形態によれば、チケット用紙８の裏面１２に設けられているチケット固有データ３１と、チケットデータとの関連付けの結果をチケット用紙８の表面１１に印字することが、チケット固有データ３１検出後これに引き続いて可能となる。これによりチケット用紙８の表面１１への印字を行なうにあたり印字領域を確保するためにチケット用紙８の搬送を、チケット固有データ３１の検知後に逆方向への搬送をさせてその後順方向への搬送をさせる必要がない。
【００９３】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行なうことができる。これらの実施形態やその変形は、発明の範囲や要旨に含まれると共に、特許請求の範囲に記載された発明とその均等の範囲に含まれる。
【符号の説明】
【００９４】
１・・店舗Ａ
４・・ＰＯＳ端末
５・・チケットプリンタ
８・・チケット用紙
１７・・第１のセンサ
１８・・第２のセンサ
１９・・プラテンローラ
２０・・サーマル印字ヘッド
２１・・カッタ
３１・・チケット固有データ
９０・・商品販売システム
１００・・外部サーバ
【図１】
0005463389.tif 000002
【図２】
0005463389.tif 000003
【図３】
0005463389.tif 000004
【図４】
0005463389.tif 000005
【図５】
0005463389.tif 000006
【図６】
0005463389.tif 000007
【図７】
0005463389.tif 000008
【図８】
0005463389.tif 000009
【図９】
0005463389.tif 000010
【図１０】
0005463389.tif 000011
【図１１】
0005463389.tif 000012
【図１２】
0005463389.tif 000013
【図１３】
0005463389.tif 000014